(57)【特許請求の範囲】
【請求項１】
コンテナの開閉扉に、コンテナ番号とシール番号とを入力した無線ＩＣシールタグを取り付け、無線ＩＣシールタグのコンテナ番号は、常時、発信可能であり、シール番号はコンテナの開閉扉を施封した状態でのみ発信可能であり、コンテナターミナルのゲート、ヤードクレーンおよびコンテナクレーンなどに、無線ＩＣシールタグとの間でコンテナ番号およびシール番号を交信するリーダを有する無線アンテナを設置してなるコンテナターミナルにおけるコンテナの管理装置を使用してコンテナの管理を行うコンテナの管理方法であって、実入りコンテナをコンテナターミナルに搬入・出するとき、コンテナをコンテナヤードに段積み・段卸しするときや船積み、船卸しするときに、コンテナターミナルのゲート、ヤードクレーンおよびコンテナクレーンなどに設置した無線アンテナのリーダがコンテナの開閉扉に取り付けた無線ＩＣシールタグからコンテナ番号およびシール番号を読み取り、コンテナ番号の確認と開閉扉の施封状態およびシール番号の確認をして実入りコンテナの管理を行い、貸し出しまたは返却される空コンテナに施封前または開封後の無線ＩＣシールタグを取り付けておき、上記無線アンテナのリーダがコンテナの開閉扉に取り付けた無線ＩＣシールタグからコンテナ番号のみを読み取って、その番号のコンテナが空であることの確認をして空のコンテナの管理を行うようにしたことを特徴とするコンテナターミナルにおけるコンテナの管理方法。
【請求項２】
上記無線ＩＣシールタグは、コンテナ番号とシール番号とを入力してコンテナの開閉扉に取り付けられ、コンテナ番号は、常時、発信可能であり、シール番号はコンテナの開閉扉を施封した状態でのみ発信可能である請求項１記載の無線ＩＣシールタグ。
【発明の詳細な説明】
【０００１】
【発明の属する技術分野】
本発明は、コンテナターミナルにおけるコンテナの管理装置および管理方法と無線ＩＣシールタグに係り、特にコンテナターミナルゲートでのコンテナの搬出・入、コンテナヤードでのヤードクレーンによるコンテナの段積み・段卸しおよび岸壁でのコンテナクレーンによるコンテナの船積み、船卸しする際に、コンテナ番号と開閉扉のシールを自動的に確認するコンテナターミナルにおけるコンテナの管理装置および管理方法と無線ＩＣシールタグに関するものである。
【０００２】
【従来の技術】
コンテナターミナルは、陸上輸送と海上輸送の接点に位置し、コンテナ船とトレーラ（シャーシ）などの異種輸送手段間のコンテナの積み替え等を行う。荷主は船会社から送られてきた空コンテナに荷物を積み込む。一旦コンテナに積み込まれた荷物は、個々のコンテナに付されているコンテナ番号と、コンテナに荷物を積み込むときに作成された伝票（コンテナ貨物搬入票）により、その荷物の種類、重量、仕向地、荷主などの属性を知ることができる。また、荷主はコンテナへ荷物の積み込みが完了すると船会社から支給されたシールにより、図６に示すように、コンテナ１の開閉扉１ｂを施封する。荷積みされたコンテナ１はシャーシ２に載置されて、コンテナターミナルに運ばれる。コンテナターミナル入口ゲートでゲートマンがコンテナ番号と荷物の種類、重量、仕向地、荷主などをチェックするとともに、シール１０のシール番号と施封状態とをチェックする。コンテナ１がコンテナターミナル内に運ばれると、図示しないヤードクレーンによってコンテナヤードに段積みされる。また、岸壁でコンテナ１の船積みをする際には、図示しないコンテナクレーンによってコンテナ番号やシール１０などの確認を行う。なお、反対に輸入コンテナを船卸したり輸入コンテナをコンテナヤードに段積みしたり輸入コンテナをコンテナヤードから運び出す際にもコンテナ番号やシールなどの確認を行う。
【０００３】
本願出願人は、コンテナターミナルゲートの自動化の一環として荷物の種類、重量、仕向地、荷主などの物流情報を記入したコンテナ貨物搬入票を無線ＩＣカード（タグ）化してコンテナ貨物搬入票によるコンテナの搬出・入手続きを無くすようにした「コンテナターミナルにおけるコンテナの搬出・入管理装置および管理方法」を特許出願した（特願平１１−３７２８９７）。また、シール番号を無線ＩＣカード（タグ）化してシールの施封の確認とシール番号の読み取りを可能にした「コンテナターミナルにおけるコンテナの搬入・出管理装置および管理方法」を特許出願した（特願２０００−２７２４２（未公開））。さらに、コンテナ番号を無線ＩＣカード（タグ）化してコンテナ番号の読み取りを可能にした「コンテナターミナルにおけるコンテナの搬入・出管理装置および管理方法」を特許出願した（特願２０００−２７２４１（未公開））。
【０００４】
また、本願出願人は、コンテナターミナルゲートの自動化を推進するため、上記無線ＩＣカード（タグ）と無線ＩＣシール番号および無線ＩＣコンテナ番号を組み合わせることによってコンテナターミナルの入口において、それらの自動読み取りを可能とした「コンテナターミナルの入口におけるコンテナの管理装置および管理方法」を案出し、特許出願した（特願２０００−２５９７６（未公開））。
【０００５】
図３ないし図５は特願２０００−２５９７６に提示したコンテナターミナルの入口におけるコンテナの管理装置の図で、図３はその概念図、図４（Ａ）は無線アンテナの概念図、（Ｂ）はコンテナの無線ＩＣタグの概念図、図５（Ａ）は無線ＩＣシールタグの平面図、（Ｂ）は無線ＩＣシールタグを施封した状態を示す図である。図３において、コンテナターミナルに搬入されるコンテナ（実入コンテナ）１は、前面に無線ＩＣ番号タグ７を取り付け、後方の開閉扉に無線ＩＣシールタグ１１を取り付け、トレーラ（シャーシ）２に荷物の種類、重量、仕向地、荷主などを入力した無線ＩＣ書類タグ１２を貼付し、シャーシ２に載置されて、コンテナターミナルに運ばれる。コンテナ１がコンテナターミナル入口ゲートに運ばれると、コンテナターミナル入口ゲートに設置された無線アンテナ９のリーダ８と無線ＩＣコンテナ番号タグ７との間で交信してコンテナ番号をチェックするとともに、無線アンテナ９のリーダ８と無線ＩＣ書類タグ１２との間で交信して荷物の種類、重量、仕向地、荷主などの物流情報をチェックしてコンピュータ１３と交信する。次に無線アンテナ９Ａのリーダ８Ａと無線ＩＣシールタグ１１との間で交信してシール１０のシール番号と施封状態とをチェックしてコンピュータ１３と交信する。さらに無線アンテナ９Ｂのリーダ８Ｂとの間で交信し、コンピュータ１３と交信してコンテナ１の行き先番地の指示を受ける。
【０００６】
コンテナターミナル入口ゲートでのチェックが終了すると、コンテナ１はコンテナターミナル内に運ばれて、図示しないヤードクレーンにより一旦コンテナヤードに段積貯蔵される。
【０００７】
コンテナヤードに段積貯蔵されているコンテナ１を船積みするときは、ヤードクレーンにより積み卸し、トレーラなどに載せて岸壁まで運び、図示しないコンテナクレーンにより船積みする。
【０００８】
無線アンテナ９に配設したリーダ８は、一例として、たとえば、図４（Ａ）に示すように、コイル８ａを内蔵しており、無線ＩＣコンテナ番号タグ７は、図４（Ｂ）に示すように、コイル７ａおよびＩＣ７ｂを内臓していて、ＩＣ７ｂにコンテナ番号が入力されている。無線ＩＣコンテナ番号タグ７は、常時は発信することなく、無線アンテナ９に配設されたリーダ８からの電波により電力の供給を受けて発信するようになっている。
【０００９】
無線ＩＣシールタグ１１は、図５（Ａ）に示すように、カバー１１ｄとプラスチックまたはＦＲＰ製のバンド１１ｇを有している。バンド１１ｇの先端に突起１１ｅが配設されている。バンド１１ｇにはＩＣチップ１１ａと配線１１ｂが埋め込まれており、配線１１ｂの先端は突起１１ｅおよびカバー１１ｄ内部に達している。無線ＩＣシールタグ１１は、施封するときには、図５（Ｂ）に示すように、バンド１１ｇを曲げて突起１１ｅをカバー１１ｄの底面にある図示しない穴に挿入し、かしめると無線ＩＣシールタグ１１はループを形成するとともに、配線１１ｂの先端同志が接続して接点１１ｃを形成し、ループ状の閉回路が完成して無線ＩＣシールタグ１１が発信可能になる。無線ＩＣシールタグ１１は、コンテナ１に荷積みして一旦施封すると破壊しない限り、再び開かないようになっている。また、無線ＩＣシールタグ１１は、常時は発信することなく、無線アンテナ９に配設されたリーダ８からの電力の供給を受けて発信するようになっている。
【００１０】
【発明が解決しようとする課題】
しかしながら、特願２０００−２５９７６に提示した「コンテナターミナルの入口におけるコンテナの管理装置および管理方法」では、コンテナ番号とシール番号とを別々な無線ＩＣタグに入力して無線ＩＣコンテナ番号タグはコンテナ１の前面に取り付け、無線ＩＣシールタグはコンテナ１の後方の開閉扉１ｂに取り付けているので、無線ＩＣタグの作成と取り付けに人手がかかるとともに、別々に読み取らなければならず煩雑である。
【００１１】
本発明は、特願２０００−２５９７６のかかる問題点に鑑み案出したもので、コンテナを使用する際、あらかじめ無線ＩＣシールタグにシール番号とコンテナ番号とを入力してコンテナに取り付けるようにしたので、シール番号用の無線ＩＣタグとコンテナ番号用の無線ＩＣタグとを別々に作成する必要がなく、また、読み取るときも別々に読み取らずにすむので、人手がかからず、煩雑にならないコンテナターミナルにおけるコンテナの管理装置および管理方法と無線ＩＣシールタグを提供することを目的とする。
【００１２】
【課題を解決するための手段】
上記目的を達成するため、本願請求項１記載発明のコンテナターミナルにおけるコンテナの管理装置は、コンテナの開閉扉に、コンテナ番号とシール番号とを入力した無線ＩＣシールタグを取り付け、無線ＩＣシールタグのコンテナ番号は、常時、発信可能であり、シール番号はコンテナの開閉扉を施封した状態でのみ発信可能であり、コンテナターミナルのゲート、ヤードクレーンおよびコンテナクレーンなどに、無線ＩＣシールタグとの間でコンテナ番号およびシール番号を交信するリーダを有する無線アンテナを設置したものである。
【００１３】
また、請求項２記載発明のコンテナターミナルにおけるコンテナの管理方法は、請求項１記載のコンテナターミナルにおけるコンテナの管理装置により、コンテナの管理をするコンテナターミナルにおけるコンテナの管理方法であって、コンテナをコンテナターミナルに搬入・出するとき、コンテナをコンテナヤードに段積み・段卸しするときや船積み、船卸しするときに、コンテナターミナルのゲート、ヤードクレーンおよびコンテナクレーンなどに設置した無線アンテナのリーダがコンテナの開閉扉に取り付けた無線ＩＣシールタグからコンテナ番号およびシール番号を読み取り、コンテナ番号の確認と開閉扉の施封状態およびシール番号の確認を行うようにしたものである。
【００１４】
無線ＩＣシールタグは、コンテナ番号とシール番号とを入力してコンテナの開閉扉に取り付けられ、コンテナ番号は、常時、発信可能であり、シール番号はコンテナの開閉扉を施封した状態でのみ発信可能であるのが好ましい。
【００１５】
次に本発明の作用を説明する。船会社は荷主に空のコンテナを貸し出す際、無線ＩＣシールタグにコンテナ番号とシール番号とを入力して空のコンテナの所要個所に取り付ける。無線ＩＣシールタグはコンテナ番号を常時発信可能である一方、施封した状態でのみシール番号を発信可能になっている。空のコンテナを貸し出しのためターミナルゲートを通過する際、コンテナ番号をチェックする。荷主は船会社から送られてきた空のコンテナに荷物を積み込み、荷積みが完了すると、コンテナの開閉扉を閉めて、船会社から支給された無線ＩＣシールタグを取り付け、施封し、トレーラ（シャーシ）に載せてコンテナターミナル入口ゲートに送る。入口ゲートに設置した無線アンテナのリーダが無線ＩＣシールタグからコンテナ番号とシール番号を読み取り、物流情報センターに送る。施封したコンテナをコンテナヤードに段積みするときにはヤードクレーンに設置した無線アンテナのリーダが無線ＩＣシールタグからコンテナ番号とシール番号を読み取り、物流情報センターに送る。また、施封したコンテナを船積みするときにはコンテナクレーンに設置した無線アンテナのリーダが無線ＩＣシールタグからコンテナ番号とシール番号を読み取り、物流情報センターに送る。物流情報センターのコンピュータは、コンテナの開閉扉が施封されていることを確認するとともに、コンテナ番号とシール番号がデータベースの情報と一致するか否かを確認する。なお、船積みされたコンテナを船卸しするとき、コンテナをコンテナヤードに段積みするときやコンテナヤードから運び出すときは、上記コンテナヤードに運び込まれる場合と略反対の方法で行われるが、コンテナから荷物を取り出すために開閉扉を開くときは、シールは外されるので、シール番号の発信はできなくなるが、コンテナ番号は継続して発信可能なので、無線ＩＣシールタグをコンテナに取り付けてコンテナヤードに戻されるときもそのままコンテナ番号を発信し、コンテナを管理することができる。
【００１６】
このように、コンテナ番号とシール番号とを入力した無線ＩＣシールタグによってコンテナ開閉扉を施封し、コンテナターミナル入口ゲート、ヤードクレーンおよびコンテナクレーンに設置された無線アンテナによってコンテナ番号とシール番号を読み取るようにしたので、コンテナ番号とシール番号とを別々な無線ＩＣタグに入力してコンテナの別な場所に取り付ける必要がない。また、コンテナ番号とシール番号の読み取りも同時に行うので、人手がかからず、煩雑にならず、コストダウンとコンテナの荷役効率の向上を図ることができる。さらに、貸し出しまたは返却される空コンテナに施封前または開封後の無線ＩＣシールタグを取り付けておけば、空コンテナの管理を行うことができる。
【００１７】
【発明の実施の形態】
以下、本発明の一実施形態について図面を参照しつつ説明する。図１は本願請求項１記載のコンテナターミナルにおけるコンテナの管理装置の概念図、図２（Ａ）は無線ＩＣシールタグの施封前の平面図、図２（Ｂ）は無線ＩＣシールタグを施封した状態を示す斜視図である。なお、図３および図４を用いて説明した特願２０００−２５９７６に提示したものと共通の部分については同じ符号を付している。図１および図２において、１はコンテナである。４はトラクタヘッド、５はシャーシ２とトラクタヘッド４とを組み合わせたトレーラである。７Ａは後述するコンテナ番号タグである。１１Ａはコンテナ１の後面の開閉扉１ｂ（図６参照）を封印する無線ＩＣシールタグである。８はリーダ、９はコンテナターミナル入口ゲートに設置された無線アンテナ、１３は物流情報センタのコンピュータである。
【００１８】
コンテナ番号タグ７Ａは、図２（Ａ）、（Ｂ）に示すように、無線ＩＣシールタグ１１Ａのカバー１１ｄに取り付けられている。コンテナ番号タグ７Ａは、たとえば、図４（Ｂ）に示すようなコイル７ａおよびＩＣ７ｂを内臓していて、ＩＣ７ｂにコンテナ番号が入力されている。無線ＩＣシールタグ１１Ａに取り付けられたコンテナ番号タグ７Ａは、施封された状態でも施封されない状態でも、発信可能で、コンテナヤードから空コンテナとして運び出されるときからコンテナ１の所要個所に取り付けられている。
【００１９】
無線ＩＣシールタグ１１Ａは、図２（Ａ）に示すように、カバー１１ｄとプラスチックまたはＦＲＰ製のバンド１１ｇを有している。バンド１１ｇの先端に突起１１ｅが配設されている。バンド１１ｇにはＩＣチップ１１ａと配線１１ｂが埋め込まれており、配線１１ｂの先端は突起１１ｅおよびカバー１１ｄ内部に達している。なお、これらは図５（Ａ）、（Ｂ）で説明した無線ＩＣシールタグ１１と同じ構成を有している。無線ＩＣシールタグ１１Ａは、施封するときにはバンド１１ｇを曲げて突起１１ｅをカバー１１ｄの底面にある図示しない穴に挿入し、かしめると無線ＩＣシールタグ１１Ａはループを形成するとともに、配線１１ｂの先端同志が接続して接点１１ｃを形成し、ループ状の閉回路が完成して無線ＩＣシールタグ１１Ａが発信可能になる。無線ＩＣシールタグ１１Ａは、コンテナ１に荷積みして一旦施封すると破壊しない限り、再び開かないようになっている。また、無線ＩＣシールタグ１１Ａは、常時は発信することなく、無線アンテナ９に配設されたリーダ８からの電力の供給を受けて発信するようになっている。
【００２０】
次に本実施形態の作用を説明する。船会社は荷主に空のコンテナ１を貸し出す際、無線ＩＣシールタグ１１Ａにコンテナ番号とシール番号とを入力して空のコンテナ１の所要個所に取り付ける。無線ＩＣシールタグ１１Ａはコンテナ番号を常時発信可能である一方、施封した状態でのみシール番号を発信可能になっている。空のコンテナ１を貸し出しのためコンテナターミナルゲートを通過する際、コンテナ番号をチェックする。荷主は船会社から送られてきた空のコンテナ１に荷物を積み込み、荷積みが完了すると、コンテナ１の開閉扉１１ｂを閉めて、船会社から支給された無線ＩＣシールタグ１１Ａを取り付け、施封し、トレーラ２に載せてコンテナターミナル入口ゲートに送る。入口ゲートに設置した無線アンテナ９のリーダ８が無線ＩＣシールタグ１１Ａからコンテナ番号とシール番号を読み取り、物流情報センターのコンピュうータ１３に送る。施封したコンテナ１をコンテナヤードに段積みするときにはヤードクレーンに設置した無線アンテナのリーダが無線ＩＣシールタグからコンテナ番号とシール番号を読み取り、物流情報センターのコンピュうータ１３に送る。また、施封したコンテナを船積みするときにはコンテナクレーンに設置した無線アンテナのリーダが無線ＩＣシールタグからコンテナ番号とシール番号を読み取り、物流情報センターのコンピュうータ１３に送る。物流情報センターのコンピュータ１３は、コンテナ１の開閉扉１ｂが施封されていることを確認するとともに、コンテナ番号とシール番号がデータベースの情報と一致するか否かを確認する。
【００２１】
このように、コンテナ番号を入力した無線ＩＣシールタグ１１Ａによってコンテナ開閉扉１１ｂを施封し、コンテナターミナル入口ゲート、ヤードクレーンおよびコンテナクレーンに設置された無線アンテナ９によってコンテナ番号とシール番号を読み取るようにしたので、コンテナ番号とシール番号とを別々な無線ＩＣタグに入力してコンテナ１の別な場所に取り付ける必要がない。また、コンテナ番号とシール番号の読み取りも同時に行うので、人手がかからず、煩雑にならず、コストダウンとコンテナの荷役効率の向上を図ることができる。さらに、貸し出しまたは返却される空コンテナ１に施封前または開封後の無線ＩＣシールタグ１１Ａを取り付けておけば、空コンテナ１の管理を行うことができる。
【００２２】
本発明は、以上述べた実施形態に限定されるものではなく、発明の要旨を逸脱しない範囲で種々の変更が可能である。たとえば、無線ＩＣシールタグは、例示したものに限らずどのような形式のものでもよい。
【００２３】
【発明の効果】
以上述べたように、本発明のコンテナターミナルにおけるコンテナの管理装置および管理方法と無線ＩＣシールタグは、無線ＩＣシールタグにコンテナ番号とシール番号とを入力するようにしたので、コンテナ番号用の無線ＩＣタグとシール番号用の無線ＩＣタグとを別々に作成する必要がなく、また、コンテナ番号とシール番号とを別々に読み取る必要がないので、人手がかからず、煩雑にならず、コストダウンに寄与してコンテナの荷役効率の向上を図ることができるという効果を奏する。
【図面の簡単な説明】
【図１】本願発明の請求項１記載のコンテナターミナルにおけるコンテナの管理装置の概念図である。
【図２】無線ＩＣシールタグの図で、（Ａ）は施封前の平面図であり、（Ｂ）は施封した状態を示す斜視図である。
【図３】特願２０００−２５９７６に提示したコンテナターミナルの入口におけるコンテナの管理装置の図の概念図である。
【図４】（Ａ）は無線アンテナの概念図、（Ｂ）はコンテナの無線ＩＣタグの概念図である。
【図５】（Ａ）は無線ＩＣシールタグの平面図、（Ｂ）は無線ＩＣシールタグを施封した状態を示す図である。
【図６】従来のコンテナのシール状態を示す背面斜視図である。
【符号の説明】
１      コンテナ
１ｂ    コンテナの開閉扉
２      シャーシ
４      トラクタヘッド
５      トレーラ
７、７Ａ    無線ＩＣコンテナ番号タグ
８      リーダ
９      無線アンテナ
１０      シール
１１、１１Ａ    無線ＩＣシールタグ
１３      コンピュータ
【図１】
0004862232.tif 000002
【図２】
0004862232.tif 000003
【図３】
0004862232.tif 000004
【図４】
0004862232.tif 000005
【図５】
0004862232.tif 000006
【図６】
0004862232.tif 000007